(57)【要約】【課題】防水機能を有し、組立が容易な分岐コネクタを提供する。【解決手段】導線１１を有するケーブル１０が接続される端子板５０と、端子板５０を収容する略箱状の内部筐体４０と、内部筐体４０を互いに対向する方向から覆う第１外部筐体２０および第２外部筐体３０と、を備えている。内部筐体４０はケーブル１０を挿通するとともに、ケーブル１０の導線１１が露出していない部分に外嵌するシール部材１４が内嵌するように構成された挿通孔４３を有し、内部筐体４０と第１外部筐体２０との間、および、内部筐体４０と第２外部筐体３０との間にシール部材６０を備えた。【選択図】図３
2013239382.tif 000002
【特許請求の範囲】
【請求項１】
導線を有するケーブルが接続される端子板と、
前記端子板を収容する略箱状の内部筐体と、
前記内部筐体を互いに対向する方向から覆う第１外部筐体および第２外部筐体と、を備え、
前記内部筐体は前記ケーブルを挿通するとともに、当該ケーブルの前記導線が露出していない部分に外嵌するシール部材が内嵌するように構成された挿通孔を有し、
前記内部筐体と前記第１外部筐体との間、および、前記内部筐体と前記第２外部筐体との間にシール部材を備えた分岐コネクタ。
【請求項２】
前記内部筐体は、前記第１外部筐体および前記第２外部筐体と対向する側に開口部が形成されている請求項１記載の分岐コネクタ。
【請求項３】
前記第２外部筐体は、前記内部筐体の当該第２外部筐体側に形成された前記開口部に当接する凸部を備えている請求項２記載の分岐コネクタ。
【請求項４】
前記第１外部筐体と前記第２外部筐体との少なくとも一方は、前記ケーブルに取り付けられたケーブル保持部材に形成された被係止部を係止する係止部を備えている請求項１から３のいずれか一項に記載の分岐コネクタ。
【請求項５】
導線を有するケーブルと、
前記ケーブルの前記導線が露出していない部分に外嵌するシール部材と、
前記ケーブルが接続される端子板と、
前記端子板を収容する略箱状の内部筐体と、
前記内部筐体を互いに対向する方向から覆う第１外部筐体および第２外部筐体と、を備え、
前記内部筐体は前記ケーブルを挿通するとともに、前記シール部材が内嵌するように構成された挿通孔を有し、
前記内部筐体と前記第１外部筐体との間、および、前記内部筐体と前記第２外部筐体との間にシール部材を備えた分岐ケーブル。
【請求項６】
前記ケーブルに取り付けられるケーブル保持部材を備え、
前記ケーブル保持部材は被係止部を備え、
前記第１外部筐体と前記第２外部筐体との少なくとも一方は、前記ケーブル保持部材の前記被係止部を係止する係止部を備えている請求項５記載の分岐ケーブル。
【発明の詳細な説明】
【技術分野】
【０００１】
本発明は、電子機器等の配線に用いられるケーブルの分岐コネクタ、および、分岐コネクタにより分岐接続された分岐ケーブルに関する。
【背景技術】
【０００２】
分岐コネクタを用いたケーブルの分岐接続構造は、電子機器の配線等をはじめ、様々な箇所で用いられている。例えば、複数の太陽電池モジュールから出力される電力を１つに集電するために用いられている。このような屋外に配置される分岐コネクタには、分岐コネクタの内部に雨水等が侵入しないような防水性が要求される。
【０００３】
この課題を解決するために、外部配線と接続する雄側及び雌側の端子金具と、端部に端子金具の取り付け用の複数の接続部が設けられ分岐が形成された電気配線（導体板）とを有し、端子金具は、その先端側に、外部配線の相手側端子金具に嵌合し又は嵌合される嵌合部が設けられ、後端側が電気配線側の接続部に取り付けられ、雄側及び雌側の各端子金具の一方が電気配線の分岐に対応して複数設けられ、個々の端子金具が取り付けられた雄側及び雌側のプラグハウジングと、プラグハウジングの少なくとも後端部と電気配線を収容した絶縁部材と、絶縁部材内部への水分の侵入を防止する防水部材とを備えた分岐用コネクタであって、防水部材を、プラグハウジングと絶縁部材との間に位置するようにプラグハウジングに取り付けられた筒状のシール材とし、絶縁部材を中空に形成するとともに、プラグハウジングの後端部が挿通する開口部を形成し、絶縁部材の開口部付近の内壁面とプラグハウジングの外周面が、シール材に密接して、プラグハウジングと絶縁部材が水密状態に結合した分岐コネクタがある（特許文献１参照）。
【先行技術文献】
【特許文献】
【０００４】
【特許文献１】特開２０１０−１７０９４６号公報
【発明の概要】
【発明が解決しようとする課題】
【０００５】
上述の特許文献１の分岐コネクタでは、プラグハウジングと絶縁部材との間はシール材によって水密にシールされている。しかしながら、プラグハウジングのシールが十分でなく、プラグハウジング内に水が浸入するおそれがある。また、特許文献１の分岐コネクタには、先端にプラグ等が取り付けられたハーネスが接続されるため、分岐ケーブル（分岐コネクタにケーブルが接続されたもの）を製造するためには、分岐コネクタの組み立てとハーネスへのプラグ等の取り付けとが必要となる。そのため、組み立て時の工数が増大する。
【０００６】
分岐ケーブルの製造に係る工数を削減するために、引用文献１の導体板に対して直接ケーブルを接続することが考えられる。しかし、この場合には、導体板とケーブルとを治具等により仮固定する必要があり、作業性が低下するおそれがある。また、ケーブルが接続された導体板を上下ケースに収納する場合も同様に、作業性が低下するおそれがある。
【０００７】
本発明は上記課題に鑑みてなされたものであり、その目的は、防水機能を有し、組立が容易な分岐コネクタを提供することである。
【課題を解決するための手段】
【０００８】
前記課題を解決するために、本発明の分岐コネクタは、導線を有するケーブルが接続される端子板と、前記端子板を収容する略箱状の内部筐体と、前記内部筐体を互いに対向する方向から覆う第１外部筐体および第２外部筐体と、を備え、前記内部筐体は前記ケーブルを挿通するとともに、当該ケーブルの前記導線が露出していない部分に外嵌するシール部材が内嵌するように構成された挿通孔を有し、前記内部筐体と前記第１外部筐体との間、および、前記内部筐体と前記第２外部筐体との間にシール部材を備えている。
【０００９】
また、前記課題を解決するために、本発明の分岐ケーブルは、導線を有するケーブルと、前記ケーブルの前記導線が露出していない部分に外嵌するシール部材と、前記ケーブルが接続される端子板と、前記端子板を収容する略箱状の内部筐体と、前記内部筐体を互いに対向する方向から覆う第１外部筐体および第２外部筐体と、を備え、前記内部筐体は前記ケーブルを挿通するとともに、前記シール部材が内嵌するように構成された挿通孔を有し、前記内部筐体と前記第１外部筐体との間、および、前記内部筐体と前記第２外部筐体との間にシール部材を備えている。
【００１０】
これらの構成では、ケーブルは内部筐体に形成された挿通孔を介して、内部筐体の内部に導かれ、端子板に接続される。このとき、ケーブルに取り付けられたシール部材が挿通孔に内嵌し、ケーブルと内部筐体との間をシールするとともに、ケーブルを固定することができる。そのため、内部筐体を第１外部筐体および第２外部筐体によって挟み込む際にケーブルを固定するための治具等が不要になる。また、シール部材がケーブルの導線が露出している部分よりも外方に取り付けられているため、導線と端子板との接続部分を確実にシールすることができる。
【００１１】
本発明の分岐コネクタの好適な実施形態の一つでは、前記内部筐体は、前記第１外部筐体および前記第２外部筐体と対向する側に開口部が形成されている。
【００１２】
この構成では、内部筐体の第１外部筐体側および第２筐体側に開口部が形成されているため、これらの開口部を介して端子板とケーブルの導線との接続を行うことができる。
【００１３】
本発明の分岐コネクタの好適な実施形態の一つでは、前記第２外部筐体は、当該第２外部筐体側に形成された前記開口部に当接する凸部を備えている。
【００１４】
この構成では、第２外部筐体に形成された凸部と内部筐体に形成された開口部とにより、内部筐体を第２外部筐体に対して位置決めすることができる。
【００１５】
本発明の分岐コネクタの好適な実施形態の一つでは、前記第１外部筐体と前記第２外部筐体との少なくとも一方は、前記ケーブルに取り付けられたケーブル保持部材に形成された被係止部を係止する係止部を備えている。
【００１６】
また、本発明の分岐ケーブルの好適な実施形態の一つでは、前記ケーブルに取り付けられるケーブル保持部材を備え、前記ケーブル保持部材は被係止部を備え、前記第１外部筐体と前記第２外部筐体との少なくとも一方は、前記ケーブル保持部材の前記被係止部を係止する係止部を備えている。
【００１７】
これらの構成では、ケーブル保持部材の被係止部が第１外部筐体または第２外部筐体に形成された係止部に係止されるため、内部筐体からケーブルが抜けることを防止することができる。また、分岐コネクタや分岐ケーブルを組み立てる際にケーブルを固定するのにも寄与し、組立が容易となる。
【図面の簡単な説明】
【００１８】
【図１】実施例１における本発明の分岐コネクタの接続を示す図である。
【図２】実施例１における本発明の分岐コネクタの斜視図である。
【図３】実施例１における本発明の分岐コネクタの分解斜視図である。
【図４】実施例１における第１外部筐体の下方からの斜視図である。
【図５】実施例２における本発明の分岐コネクタの接続を示す図である。
【図６】実施例２における本発明の分岐コネクタの斜視図である。
【図７】実施例２における本発明の分岐コネクタの分解斜視図である。
【図８】実施例２における第１外部筐体の下方からの斜視図である。
【発明を実施するための形態】
【実施例１】
【００１９】
以下に図面を用いて本発明の分岐コネクタおよび分岐ケーブルの実施形態を説明する。図１は、本実施例における分岐コネクタ（分岐ケーブル）の接続例を示す図であり、図２，３はそれぞれ本実施例における分岐コネクタの斜視図および分解斜視図である。
【００２０】
図に示すように、本実施例の分岐コネクタは、４つの太陽電池モジュールＭからの出力を１つのケーブルに集約して出力するものである。そのため、４つの太陽電池モジュールＭのそれぞれから延びる４本のケーブル１０と、分岐コネクタの入力側に接続された４本のケーブル１０とが、中間コネクタＣを介して接続されている。なお、入力側，出力側なる文言は便宜上記載しているものであり、本実施例の分岐コネクタは、１つの入力を４分岐させることにも用いることができる。
【００２１】
本実施例における分岐コネクタは、出力側のケーブル１０が接続される側に突出する凸部が形成された略箱状の筐体を有している。筐体は、第１外部筐体２０と第２外部筐体３０とを嵌合させることにより形成されている。なお、以下では、第１外部筐体２０側を上、第２外部筐体３０側を下として説明する。
【００２２】
ケーブル１０は、図３に示すように、銅等の導電性材料によって形成された導線１１と、導線１１を被覆する絶縁材料性の被覆部１２と、被覆部１２を被覆するシース１３と、から構成されている。
【００２３】
〔第１外部筐体〕
第１外部筐体２０は、底板２１と、底板２１の周縁部に沿って立設された側壁２２と、を備えている。本実施形の底板２１は、略矩形状の第１底板２１ａと、出力側のケーブル１０が接続される側に突出するように設けられた第１底板２１ａよりも小さな略矩形状の第２底板２１ｂとから構成されている。
【００２４】
第１外部筐体２０の底板２１（第１底板２１ａ）には、通気孔２３が形成されている。温度上昇等によって分岐コネクタ内部の空気が膨張した際に、この通気孔２３を介して空気を排出することによって、分岐コネクタの変形や破損を防止することができる。なお、この通気孔２３の内面側には、空気の通過を許容し、水の通過を阻止する防水シート２４が配置されている。これにより、分岐コネクタの内部を水密に維持しながら、給排気を行うことができる。
【００２５】
図４は、第１外部筐体２０の下方からの斜視図である。図に示すように、第１外部筐体２０の底板２１（第１底板２１ａ）の下面からは複数の第１凸部２１ｃと、第１凸部２１ｃよりも突出量が大きな複数の第２凸部２１ｄと、が立設されている。
【００２６】
〔第２外部筐体〕
第２外部筐体３０は、底板３１と、底板３１の周縁部に沿って立設された側壁３２と、を備えている。本実施形の底板３１は、略矩形状の第１底板３１ａと、第１底板３１ａから、出力側のケーブル１０が接続される側に突出するように設けられた第１底板３１ａよりも小さな略矩形状の第２底板３１ｂとから構成されている。
【００２７】
図３に示すように、第２外部筐体３０の底板３１の上面からは複数の凸部３１ｃが立設されている。この凸部３１ｃは、第１外部筐体２０の第１凸部２１ｃに対応する位置に形成されており、第１外部筐体２０と第２外部筐体３０とを嵌合した際に、これらの先端部どうしが当接する。これにより、分岐コネクタの強度を高めることができる。
【００２８】
また、第１外部筐体２０の側壁２２と、第２外部筐体３０の側壁３２のうち、ケーブル１０が接続される側には、それぞれ凹部２２ａ，３２ａが形成されている。第１外部筐体２０と第２外部筐体３０とを嵌合した際に、この凹部２２ａと凹部３２ａとによって、ケーブル１０を挿通する挿通孔が形成される。
【００２９】
〔内部筐体〕
図３に示すように、第１外部筐体２０と第２外部筐体３０とを嵌合した際に、これらの間に形成される空間には、内部筐体４０が収容されている。内部筐体４０は、第１外部筐体２０側が開口した略箱状に形成されており、底板４１および底板４１の周縁部に沿って立設された側壁４２を備えている。内部筐体４０の側壁４２の上端および下端付近には、Ｏリングからなるシール部材６０を保持する環状溝４２ａが形成されている。
【００３０】
側壁４２のうち、入力側のケーブル１０が接続される側と出力側のケーブル１０が接続される側には、それぞれ、ケーブル１０を挿通する４つおよび１つの挿通孔４３が形成されている。また、挿通孔４３が形成された側壁４２の内方には、これらの側壁４２に対向する内部壁４４が形成されており、側壁４２と内部壁４４とにわたって筒状部４５が形成されている。なお、挿通孔４３は、側壁４２，筒状部４５，内部壁４４にわたって形成されており、挿通孔４３を介してケーブル１０の先端を内部筐体４０の内部に導くことができる。
【００３１】
内部筐体４０の底板４１には複数の矩形状の開口部４１ａが形成されている。各々の開口部４１ａは、第２外部筐体３０の凸部３１ｃに対応するように形成されている。具体的には、１つの開口部４１ａと一対の凸部３１ｃとが対応し、一対の凸部３１ｃの外側面が、開口部４１ａの周縁部に当接するように構成されている。これにより、第２外部筐体３０に対して内部筐体４０を正確に位置決めすることができる。また、底板４１の上面には、後述する端子板５０の位置決めを行うための複数の凸部４６が形成されている。
【００３２】
〔端子板〕
内部筐体４０の底板４１の上面には、銅等の導電性材料により形成され、ケーブル１０を接続するための端子板５０が備えられている。端子板５０は、内部筐体４０の底板４１に形成された凸部４６が嵌挿する孔部５１と、ケーブル１０の導線１１を接続する接続部５２と、を備えている。本実施例では、端子板５０には４本の入力側のケーブル１０と１本の出力側のケーブル１０が接続されるため、端子板５０は５つの接続部５２が設けられている。接続部５２をケーブル１０の導線１１の周方向にかしめることにより、導線１１を固定保持することができる。なお、内部筐体４０を第１外部筐体２０および第２外部筐体３０の内部に組み付けた状態では、第１外部筐体２０の第２凸部２１ｄが端子板５０の上面に当接し、端子板５０を固定している。
【００３３】
〔ケーブル〕
ケーブル１０は、上述したように、導線１１，被覆部１２，シース１３の３層構造となっており、ケーブル１０の先端側（分岐コネクタに接続される側）では、第１の長さの導線１１が露出するように被覆部１２およびシース１３が剥がされ、それよりも後方では第２の長さの被覆部１２が露出するようにシース１３が剥がされている。
【００３４】
ケーブル１０のシース１３が剥がされ、被覆部１２が露出した部分には、ゴム等の弾性および耐水性を有する管状のシール部材１４が設けられている。ケーブル１０を内部筐体４０の挿通孔４３に挿通した際に、挿通孔４３の内壁とシール部材１４の外面とが接するように構成されている。これにより、ケーブル１０と挿通孔４３との間をシールし、内部筐体４０の内部空間を水密に維持することができる。なお、挿通孔４３の内壁に環状の凹部または凸部を形成し、シール部材１４の外面にこの環状の凹部または凸部に対応する環状の凸部または凹部を形成しておけば、シール部材１４の位置ずれを防止することができる。また、シール部材１４によるシール位置が導線１１と端子板５０との接続位置よりも外方であるため、この接続位置を水密に維持することができる。
【００３５】
また、ケーブル１０のシース１３が剥がされずに維持されている部分にはケーブル保持部材１５が設けられている。ケーブル保持部材１５は、ケーブル１０の周方向にかしめることによりケーブル１０を保持するケーブル保持部１５ａと、第１外部筐体２０または第２外部筐体３０に係止される被係止部１５ｂとを備えている。本実施例では、図３に示すように、第２外部筐体３０に被係止部１５ｂを係止する係止溝３３（係止部の例）を形成している。被係止部１５ｂを係止溝３３に係止させることにより、ケーブル１０を固定保持し、ケーブル１０が分岐コネクタから抜けることを防止することができる。なお、係止溝３３は第１外部筐体２０に設けても構わないし、第１外部筐体２０と第２外部筐体３０との双方に設けても構わない。
【００３６】
〔組み立て方法〕
まず、内部筐体４０の凸部４６が端子板５０の孔部５１に嵌挿するように、端子板５０を内部筐体４０の底板４１の上面に配置し、これらを接着，凸部４６のかしめ等により固定する。また、内部筐体４０の側壁４２の環状溝４２ａに対して、２つのＯリングからなるシール部材６０を固定する。
【００３７】
一方、ケーブル１０は、上述のようにシース１３および被覆部１２を剥がし、シール部材１４およびケーブル保持部材１５を上述の位置に取り付けておく。次に、ケーブル１０をそれぞれの挿通孔４３に挿通する。このとき、シール部材１４が内部筐体４０の筒状部４５に形成された挿通孔４３内に位置し、ケーブル１０の導線１１が端子板５０の対応する接続部５２に達するようになっており、端子板５０の接続部５２をかしめることによって導線１１を端子板５０に接続する。このとき、内部筐体４０の第１筐体２０側は開口しており、第２筐体３０側の面には開口部４１ａが形成されているため、これらを介して導線１１と接続部５２とを容易に接続することができる。なお、ケーブル１０を挿通孔４３に挿通した状態で、シール部材１４によってケーブル１０が固定されているため、導線１１と端子板５０との接続が容易となる。
【００３８】
このようにしてケーブル１０が接続された内部筐体４０を第２外部筐体３０上に載置する。このとき、上述したように、第２外部筐体３０の凸部３１ｃと内部筐体４０の開口部４１ａとにより、内部筐体４０の位置決めを行うことができる。また、ケーブル１０に取り付けられたケーブル保持部材１５の被係止部１５ｂが、第２外部筐体３０の係止溝３３によって係止される。そして、第１外部筐体２０と第２外部筐体３０とを嵌合させることにより、分岐コネクタを組み立てることができる。このとき、ケーブル１０は内部筐体４０に対して位置決め固定されているため、第１外部筐体２０と第２外部筐体３０との嵌合が容易となる。
【００３９】
このように、本実施例における分岐コネクタは、組み立ての際に部材を固定する治具等を必要とせず、ケーブル１０が接続された内部筐体４０を、シール部材６０を介して第１外部筐体２０および第２外部筐体３０とで挟み込むだけで組み立てることができる。また、シール部材１４，シール部材６０，防水シート２４によりシールすることにより、内部筐体４０の内部空間およびケーブル１０と端子板５０との接続位置を水密に維持することができる。
【実施例２】
【００４０】
次に、本発明の分岐コネクタの異なる実施形態を説明する。なお、以下の説明において実施例１と同様の部材や構成に関しては同じ符号を付し、詳細な説明は省略する。図５は、本実施例における分岐コネクタの接続例を示す図であり、図６，７はそれぞれ本実施例における分岐コネクタの斜視図および分解斜視図である。
【００４１】
図５に示すように、本実施例の分岐コネクタは、基幹用のケーブルに対する１本の幹線用のケーブルの接続や、１対２の分岐に用いることができる。以下の説明では、前者の接続として説明する。なお、本実施例では、全てのケーブル１０が端子板５０に直結されるのではなく、図６に示すように、基幹用のケーブル１０ａは端子板５０に直結されるが、幹線用のケーブル１０ｂはプラグ部７０およびソケット部８０を介して分岐コネクタに接続される。
【００４２】
〔第１外部筐体〕
本実施例における第１外部筐体２０の底板２１は、略矩形状の第１底板２１ａと、一方の基幹用のケーブル１０ａが接続される側に突出するように設けられた第１底板２１ａよりも小さな略矩形状の第２底板２１ｂと、他方の基幹用のケーブル１０ａが接続される側に突出するように設けられた第２底板２１ｂと同形状の第３底板２１ｃとから構成されている。なお、第２底板２１ｂと第３底板２１ｃとはケーブル１０の挿入方向において対向するのではなく、第１底板２１ａの対角方向に変位している。
【００４３】
本実施例における第１外部筐体２０は、実施例１のような凸部は形成されていないが、図８に示すように、補強用のリブ２５が形成されている。
【００４４】
〔第２外部筐体〕
第２外部筐体３０の形状は第１外部筐体２０の形状に対応している。そのため、第２外部筐体３０の底板３１は、略矩形状の第１底板３１ａと、一方の基幹用のケーブル１０ａが接続される側に突出するように設けられた第１底板３１ａよりも小さな略矩形状の第２底板３１ｂと、他方の基幹用のケーブル１０ａが接続される側に突出するように設けられた第２底板３１ｂと同形状の第３底板３１ｄとから構成されている。
【００４５】
第１外部筐体２０と同様に、本実施例における第２外部筐体３０には実施例のような凸部は形成されていないが、補強用のリブ３４が形成されている。また、第２底板３１ｂおよび第３底板３１ｄからは、ケーブル保持部材１５の被係止部１５ｂを係止する係止凸部３５（係止部の例）が突設されている。
【００４６】
〔内部筐体〕
本実施例における内部筐体４０は、上方が開口した略直方体形状を有し、底板４１は第２外部筐体３０の第１底板３１ａと略同形状となっている。そのため、第２外部筐体３０に凸部を形成しなくとも、内部筐体４０の位置決めを行うことができる。
【００４７】
内部筐体４０の側壁４２には、基幹用のケーブル１０ａの先端を内部筐体４０の内部に導入する実施例１の挿通孔４３と同様の２つの挿通孔４３ａが形成されている。また、一方の挿通孔４３ａと並列してプラグ部７０を嵌挿する挿通孔４３ａよりも大径の挿通孔４３ｂが形成されている。
【００４８】
〔端子板〕
上述したように、本実施例では、２つの基幹用のケーブル１０ａが端子板５０に直結されるため、本実施例における端子板５０は、２つの接続部５２を備えている。
【００４９】
〔プラグ部〕
プラグ部７０は、プラグ本体７１を備えている。プラグ本体７１の前端には後述するソケット部８０に挿入される筒状部７１ａと、一対の係止爪７１ｂと、が形成されている。
【００５０】
〔ソケット部〕
ソケット部８０は、ソケット本体８１を備えている。ソケット本体８１の前端にはプラグ部７０の筒状部７１ａが挿入される挿入孔８１ａと、プラグ部７０の係止爪７１ｂを係止する係止孔８１ｂと、が形成されている。
【００５１】
〔組み立て方法〕
まず、内部筐体４０の凸部４６が端子板５０の孔部５１に嵌挿するように、端子板５０を内部筐体４０の底板４１の上面に配置し、これらを接着，凸部４６のかしめ等により固定する。また、内部筐体４０の側壁４２の環状溝４２ａに対して、２つのＯリングからなるシール部材６０を固定する。
【００５２】
基幹用のケーブル１０ａは、上述のようにシース１３および被覆部１２を剥がし、シール部材１４およびケーブル保持部材１５を所定の位置に取り付けておく。なお、本実施例では、プラグ部７０に対向する位置に挿入される基幹用のケーブル１０ａの導線１１の露出長さを他方の基幹用のケーブル１０ａの導線１１の露出長さより長くしておく。一方、幹線用のケーブル１０ｂは所定長さの導線１１が露出するように被覆部１２およびシース１３を剥がし、導線１１をソケット部８０のケーブル接続部８２ｂに接続しておく。
【００５３】
次に、２つの基幹用のケーブル１０ａをそれぞれの小径の挿通孔４３ａに挿通する。このとき、シール部材１４が内部筐体４０の筒状部４５に形成された挿通孔４３内に位置し、ケーブル１０の導線１１が端子板５０の対応する接続部５２に達するようになっており、端子板５０の接続部５２をかしめることによって導線１１を端子板５０に接続する。なお、ケーブル１０を挿通孔４３に挿通した状態で、シール部材１４によってケーブル１０が固定されているため、導線１１と端子板５０との接続が容易となる。
【００５４】
そして、プラグ部７０の後端を内部筐体４０の大径の挿通孔４３に挿通する。上述したように、プラグ部７０に対向する位置に挿入されるケーブル１０の導線１１の露出長さを長くしているため、導線１１がプラグ部７０の内部にまで達している。
【００５５】
このようにしてケーブル１０が接続された内部筐体４０を第２外部筐体３０上に載置する。このとき、ケーブル１０に取り付けられたケーブル保持部材１５の被係止部１５ｂが、第２外部筐体３０の係止凸部３５によって係止される。そして、第１外部筐体２０と第２外部筐体３０とを嵌合させることにより、分岐コネクタを組み立てることができる。このとき、ケーブル１０は内部筐体４０に対して位置決め固定されているため、第１外部筐体２０と第２外部筐体３０との嵌合が容易となる。
【００５６】
このように、本実施例における分岐コネクタは、組み立ての際に部材を固定する治具等を必要とせず、ケーブル１０が接続された内部筐体４０を、シール部材６０を介して第１外部筐体２０および第２外部筐体３０とで挟み込むだけで組み立てることができる。また、シール部材１４，シール部材６０，防水シート２４によりシールすることにより、内部筐体４０の内部空間およびケーブル１０と端子板５０との接続位置を水密に維持することができる。
【００５７】
なお、本実施例では、分岐コネクタにプラグ部７０を設け、幹線用のケーブル１０ｂにソケット部８０を設ける構成としたが、分岐コネクタにソケット部８０を設け、幹線用のケーブル１０ｂにプラグ部７０を設ける構成としても構わない。
【００５８】
〔別実施例〕
上述の実施形態では、第１外部筐体２０と第２外部筐体３０とを嵌合する構成としたが、爪等の被係止部と被係止部を係止する係止部とをそれぞれに設けて係止する構成、超音波等による溶着、等の他の方法によって第１外部筐体２０と第２外部筐体とを組み合わせる構成としても構わない。
【産業上の利用可能性】
【００５９】
本発明は、電子機器等の配線に用いるケーブルの分岐コネクタに用いることができる。
【符号の説明】
【００６０】
１０：ケーブル
１１：導線
１４：シール部材
１５：ケーブル保持部材
１５ｂ：被係止部
２０：第１外部筐体
３０：第２外部筐体
３３：係止溝（係止部）
３５：係止凸部（係止部）
４０：内部筐体
４１ａ：開口部
４３：挿通孔
５０：端子板
６０：シール部材
【図１】
2013239382.tif 000003
【図２】
2013239382.tif 000004
【図３】
2013239382.tif 000005
【図４】
2013239382.tif 000006
【図５】
2013239382.tif 000007
【図６】
2013239382.tif 000008
【図７】
2013239382.tif 000009
【図８】
2013239382.tif 000010